(57)【特許請求の範囲】
【請求項１】
身体上に反復的な圧迫力を付与するマッサージ機において、
案内棒で連結された上板と下板上に揺動棒を回転可能に支持する駆動手段、
前記駆動手段において、前記案内棒と前記揺動棒を介して、多数の指圧板が積層状態に維持された指圧手段、及び、
前記指圧板の順次的な揺動運動を誘発する制御手段、
を包含して形成され、
前記揺動棒は、平面上の波形曲線又は螺旋形曲線のうちの少なくとも一つに形成されることを特徴とする、積層体を用いた順次圧迫マッサージ機。
【請求項２】
前記駆動手段は、長さの調節が可能な締付部を具備した着用バンド上に一体に結合されることを特徴とする、請求項１に記載の積層体を用いた順次圧迫マッサージ機。
【請求項３】
前記指圧手段の前記指圧板は、身体と接触する面に曲線形のアーチ面を具備することを特徴とする、請求項１に記載の積層体を用いた順次圧迫マッサージ機。
【請求項４】
前記指圧手段の前記指圧板は、揺動運動の方向を決定するための縦側溝、前記揺動棒の回転運動を受けて揺動運動を誘発する横側溝を具備することを特徴とする、請求項１に記載の積層体を用いた順次圧迫マッサージ機。
【請求項５】
前記指圧手段の前記指圧板は、相互間の積層による接触面、前記縦側溝、前記横側溝上にテフロン樹脂層をさらに具備することを特徴とする、請求項１に記載の積層体を用いた順次圧迫マッサージ機。
【請求項６】
前記制御手段は、圧迫力の変動を検出する感知部、作動用電源を提供する電源部、設定されたアルゴリズムを保存して実行する制御部を具備することを特徴とする、請求項１に記載の積層体を用いた順次圧迫マッサージ機。
【発明の詳細な説明】
【技術分野】
【０００１】
本発明はマッサージ機に関するもので、さらに詳しくは、ユーザーのふくらはぎを実際のマッサージと同様に圧迫して血行が改善できる、積層体を用いた順次圧迫マッサージ機（Ｔｈｅ  ｍａｓｓａｇｅ  ｍａｃｈｉｎｅ  ｆｏｒ  ｓｅｑｕｅｎｔｉａｌ  ｃｏｍｐｒｅｓｓｉｏｎ  ｕｓｉｎｇ  Ａ  Ｌａｍｉｎａｔｅ)に関するものである。
【背景技術】
【０００２】
人体のふくらはぎは第二の心臓と呼ばれる程、重要な筋肉器官であり、周期的なマッサージを受けると疲労回復はもちろんのこと、免疫力の増進にも効果を与える。これに加えて、静脈壁の結合組織が強化されて静脈弁膜の機能回復に寄与し、心臓に入る血液及び体液が貯留したり停滞したりする静脈循環障害が改善される。よって、かかる症状の予防や緩和のための非手術的な方案として、運動と圧迫循環マッサージが選好される。
【０００３】
このようなふくらはぎのマッサージに係る先行技術文献として、韓国登録特許公報第１１３９５３８号公報（先行文献１）、韓国登録特許公報第１５７２９７４号公報（先行文献２）等が参照できる。
【０００４】
先行文献１は下肢の静脈瘤（ｖａｒｉｃｏｓｅ  ｖｅｉｎ）の予防とリハビリを目的に、ふくらはぎに着用する携帯用圧迫カフ（ｃｕｆｆ）において、前記カフに内蔵され、ふくらはぎに差等化的で順次に圧力を掛けるために、空気によって膨張したり収縮したりする空気圧室が少なくとも二つ以上構成され、前記空気圧室は、相互に垂直に離隔されて配置される加圧部を包含する。これによって、血液の逆流が防止されることはもちろんのこと、血液循環に寄与して下肢の静脈瘤の予防とリハビリを図る。
【０００５】
ただし、これはエアポンプ（ａｉｒ  ｐｕｍｐ）を使用するので体積が大きくて携帯中の着用に不便であり、空気出入の騒音が誘発されるため、公共の場所で着用することは不適合である。
【０００６】
先行文献２は、着用バンドと圧迫バンドで身体に密着する着用手段；前記着用手段の一側に連結されて、圧迫バンドを緊張させ、弛緩させる駆動手段；及び、前記駆動手段を通じて複数の圧迫バンドを個別に制御する制御手段；を包含する。ゆえに、小型化と低騒音の構造に基づき、活用しながらマッサージを受けることができ、静脈循環障害の予防と緩和の実効性を高める効果が期待される。
【０００７】
ただ、これは回動軸を通じて圧迫バンドに伝達される加圧力が一定ではなく、長期間の使用に伴い、圧迫バンドが弛緩する可能性があるため、改善の余地が有る。
【先行技術文献】
【特許文献】
【０００８】
【特許文献１】韓国登録特許第１１３９５３８号公報
【特許文献２】韓国登録特許第１５７２９７４号公報
【発明の概要】
【発明が解決しようとする課題】
【０００９】
前記のような従来の問題点を改善するための本発明の目的は、作動の信頼性と耐久性を高めた構成品に基づき、実際のマッサージと同様に加圧し、血行の改善による静脈循環障害の予防又は緩和が期待できる、積層体を用いた順次圧迫マッサージ機を提供するものである。
【課題を解決するための手段】
【００１０】
前記目的を達成するために、本発明は、身体上に反復的な圧迫力を付与するマッサージ機において、案内棒で連結された上板と下板上に揺動棒を回転可能に支持する駆動手段３０；前記駆動手段において、案内棒と揺動棒を介して、多数の指圧板が積層状態に維持された指圧手段；及び前記指圧板の順次的な揺動運動を誘発する制御手段；を包含して形成されることを特徴とする。
【００１１】
本発明の細部構成として、前記駆動手段は、長さの調節が可能な締付部を具備した着用バンド上に一体に結合されることを特徴とする。
【００１２】
本発明の細部構成として、前記駆動手段の揺動棒は、平面上の波形曲線又は螺旋形曲線のうちの少なくとも一つに形成されることを特徴とする。
【００１３】
本発明の細部構成として、前記指圧手段の指圧板は、身体と接触する面に曲線形のアーチ面を具備することを特徴とする。
【００１４】
本発明の細部構成として、前記指圧手段の指圧板は、揺動運動の方向を決定するための縦側溝、揺動棒の回転運動受けて揺動運動を誘発する横側溝を具備することを特徴とする。
【００１５】
本発明の変形例として、前記指圧手段の指圧板は、相互間の積層による接触面、縦側溝、横側溝上にテフロン樹脂層をさらに具備することを特徴とする。
【００１６】
本発明の細部構成として、前記制御手段は、圧迫力の変動を検出する感知部、作動用電源を提供する電源部、設定されたアルゴリズムを保存して実行する制御部を具備することを特徴とする。
【発明の効果】
【００１７】
以上のように本発明によれば、多数に積層された指圧板の揺動運動を誘発する方式で、作動の信頼性と耐久性を高めながらも、使用するのに支障を来たさないマッサージを具現し、静脈循環障害の予防又は緩和に実効性を高めることができる。
【図面の簡単な説明】
【００１８】
【図１】図１は、本発明によるマッサージ機を前面から示した斜視図である。
【図２】図２は、本発明によるマッサージ機を後面から示した斜視図である。
【図３】図３は、本発明によるマッサージ機を分解して示した斜視図である。
【図４】図４は、本発明によるマッサージ機の主要部を示した構成図である。
【発明を実施するための形態】
【００１９】
以下、添付された図面に基づいて本発明の実施例を詳細に説明する。
【００２０】
本発明は、身体１０上に反復的な圧迫力を付与するマッサージ機を提案する。身体１０は、ふくらはぎを中心とする下肢の静脈循環障害、特にＤＶＴ（Ｄｅｅｐ  Ｖｅｉｎ  Ｔｈｒｏｍｂｏｓｉｓ）の改善のために、ふくらはぎを対象に設定するが、必ずしもかかる部位に局限されるのではない。本発明のマッサージ機は、携帯の簡便性に基づき、日常生活や旅行などでの使用便利性も追求する。
【００２１】
本発明の細部構成として、前記駆動手段３０は、長さの調節が可能な締付部２５を具備した着用バンド２０上に一体に結合されることを特徴とする。着用バンド２０は、多少の伸縮性を有する素材を使用して形成され、後述する駆動手段３０、指圧手段４０、制御手段５０を搭載する。締付部２５はベルクロテープ（ｖｅｌｃｒｏ  ｔａｐｅ）、ジッパー（ｚｉｐｐｅｒ）、ボタン（ｂｕｔｔｏｎ）等が選択的に使用されて構成される。身体１０の形態や大きさに対応し易いように、着用バンド２０は多数に分割された構造に形成するのがよい。
【００２２】
本発明によれば、駆動手段３０は、案内棒３４で連結された上板３１と下板３２上に揺動棒３５を回転可能に支持する構造である。駆動手段３０は、マッサージ機の骨格を形成する部分として、上板３１と下板３２を案内棒３４でしっかり固定する。上板３１と下板３２は高強度の軽量性板材として、身体と接触する前面に曲面を具備する。図示では、案内棒は左右の一対で例示するが、左右に各々二つ以上で構成することもできる。揺動棒３５は、案内棒３４の内側に左右の一対で構成され、上板３１と下板３２上に回転可能に支持される。
【００２３】
この時、下板３２上の揺動棒３５の下段には、ギアトレイン（ｇｅａｒ  ｔｒａｉｎ）３７を介してモーター（ｍｏｔｏｒ）が連結される。ギアトレイン３７は、モーターの回転力を両側の揺動棒３５へ同時に伝達するように構成される。
【００２４】
本発明の細部構成として、前記駆動手段３０の揺動棒３５は、平面状の波形曲線又は螺旋形曲線のうちの少なくとも一つに形成されることを特徴とする。平面状の波形曲線とは、正弦波や振幅、周期の異なる非正弦波を意味し、螺旋形曲線とは、振幅が小さく周期が長い渦巻ばね（ｓｐｉｒａｌ  ｓｐｒｉｎｇ）のような立体像を意味する。勿論、揺動棒３５は両者の形態を複合的に持つように構成されることもできる。揺動棒３５は、身体に圧迫力を与える部分であるので、基本的な強度と剛性を要するが、柔らかいマッサージのために、適切な弾性変形を許容することもできる。
【００２５】
また、本発明によれば、指圧手段４０は、前記駆動手段３０上において案内棒３４と揺動棒３５を介して、多数の指圧板４１が積層状態に維持された構造である。指圧手段４０は、マッサージ機の骨格に結合される作動部であり、同一又は類似の指圧板４１を積層させてＳＣＤ（Ｓｅｑｕｅｎｔｉａｌ  Ｃｏｍｐｒｅｓｓｉｏｎ  Ｄｅｖｉｃｅ）を具現する要諦である。指圧板４１は上板３１と下板３２に比べて強度が低くても構わないが、軽量性と耐久性が要求される。
【００２６】
本発明の細部構成として、前記指圧手段４０の指圧板４１は、身体１０と接触する面に曲線形のアーチ面４２を具備することを特徴とする。図３に、指圧板４１が上板３１及び下板３２と同様に、前面の中央に凹んだアーチ面４２を具備した状態を例示する。積層された指圧板４１などのアーチ面４２は、例えば、身体の屈曲した輪郭におよそ一致する形態のものであり、相互に少しずつ変化する曲率に形成されるのがよい。
【００２７】
本発明の細部構成として、前記指圧手段４０の指圧板４１は、揺動運動の方向を決定するための縦側溝４４、揺動棒３５の回転運動を受けて揺動運動を誘発する横側溝４５を具備することを特徴とする。縦側溝４４は、指圧板４１の前面と後面の方向に形成され、横側溝４５は、縦側溝４４の内側に、直交する方向に形成される。案内棒３４は、積層された指圧板４１の縦側溝を通過し、揺動棒３５は、積層された指圧板４１の横側溝４５を通過する。縦側溝４４と横側溝４５は、必ずしも直線に限定されず、指圧板４１の揺動運動を拘束しないように、曲線との緩い公差を部分的に具備することができる。
【００２８】
よって、モーターの駆動力が揺動棒に伝達されれば、積層された指圧板４１は縦側溝４４により決定される略前後方向へ、横側溝４５により決定される振幅と周期を持つ揺動運動を順次的に具現する。
【００２９】
一方、指圧板４１は、強度の弱化を防止する範囲内で重量を減らすため、付加的な溝を具備することができる。図３に示した切開面４７は、軽量化の目的でありながら、モーター３８を収容する空間を提供する。
【００３０】
本発明の変形例として、前記指圧手段４０の指圧板４１は、相互の積層による接触面、縦側溝４４、横側溝４５上にテフロン樹脂層をさらに具備することを特徴とする。指圧板にエンジニアリングプラスチックのような高価な耐摩耗性素材を使用する場合、製造原価が上昇するため、汎用プラスチック上にテフロン樹脂層をコーティングするのが好ましい。指圧板４１には、厚さの偏差を置いて全面的な滑り接触を縮小しながらテフロン樹脂層を設ける。縦側溝４４と横側溝４５には、案内棒３４と揺動棒３５の滑り接触が発生する領域にテフロン樹脂層を設ける。
【００３１】
勿論、本発明は、指圧板４１のテフロン樹脂層に限定されず、別途耐摩耗性素材をインサートモールディング（ｉｎｓｅｒｔ  ｍｏｌｄｉｎｇ）の方式により一体化させることができる。
【００３２】
また、本発明によれば、制御手段５０は、前記指圧板４１の順次的な揺動運動を誘発する構造である。制御手段５０は、駆動手段３０を設定されたアルゴリズムで駆動させ、静脈循環障害の改善のためのマッサージを遂行する要素である。勿論、設定されたアルゴリズムの外に、手動で選択してユーザーが望むマッサージ機能を遂行することもできる。
【００３３】
本発明の細部構成として、前記制御手段５０は、圧迫力の変動を検出する感知部５２、作動用電源を提供する電源部５４、設定されたアルゴリズムを保存して実行する制御部５６を具備することを特徴とする。感知部５２は、過負荷（ｏｖｅｒｌｏａｄ）を検出することで、モーターに装着された電流センサーや回転感知センサーが選択的に使用される。電源部５４は、充電型バッテリーを基本とし、商用電源を使用する機能も兼ね備える。制御部５６は、マイクロプロセッサー、メモリー、Ｉ／Ｏインターフェースを持つマイクロコンピュータの回路であり、着用バンド２０に取付けられた操作パネルやリモコンが選択的に使用される。
【００３４】
作動の一例として、図４は、指圧板４１が身体１０の上段部分及び下段から多少離隔された部分へ圧迫力を印加する状態を例示するが、モーターの回転により圧迫ポイントが順次的に変動することにより、設定された周期でマッサージが遂行される。平常時のユーザーは、着用バンドの締付部２５を解いた後に、締付ながら圧迫感を増減させることができるが、非常時制御部５６が、感知部の入力に対応して、モーターの速度を変動させたり、完全に停止させたりする。
【００３５】
本発明は前記記載された実施例に限定されるのではなく、本発明の技術的思想及び範囲を逸脱せずに多様に修正及び変形することは、この技術分野で通常の知識を持った者（当業者）にとっては自明である。従って、このような変形例及び修正例などは本発明の特許請求の範囲に属するものとして理解すべきである。
【産業上の利用可能性】
【００３６】
本発明は静脈循環障害の予防又は緩和の実効性を高めるのに有用である。
【符号の説明】
【００３７】
１０  身体
２０  着用バンド
２５  締付部
３０  駆動手段
３１  上板
３２  下板
３４  案内棒
３５  揺動棒
３７  ギアトレイン
３８  モーター
４０  指圧手段
４１  指圧板
４２  アーチ面
４４  縦側溝
４５  横側溝
４７  切開面
５０  制御手段
５２  感知部
５４  電源部
５６  制御部
【図１】
0006467528.tif 000002
【図２】
0006467528.tif 000003
【図３】
0006467528.tif 000004
【図４】
0006467528.tif 000005